(57)【要約】【課題】機能的なデザインを有し、高級感と高い訴求力によって顧客を引きつける構造の画像表示装置を提供する。【解決手段】独立設置型の画像表示装置であって、透過型のスクリーン５を備えた表示板１と、当該画像表示装置を水平な床面に正立させたとき、表示板１を、一方の面を下方に向けて、当該一方の面と床面の挟む角が鋭角になるように傾斜させて支持する支持フレーム３と、表示板１の、一方の面の下方に配置され、表示板１のスクリーン５に画像を投影するプロジェクタ１１と、投影される画像の画像データを記憶し、プロジェクタ１１に装着されて当該画像データを当該プロジェクタに読み出させる記憶装置と、プロジェクタ１１から発せられる投影用ビームを、表示板１の下方で表示板のスクリーン５に導いて結像させる光学機構とを備える。【選択図】図１
2006276876.tif 000002
【特許請求の範囲】
【請求項１】
独立設置型の画像表示装置であって、
一方の面で結像した画像を他方の面で視認できる透過型のスクリーンを備えた表示板と、
当該画像表示装置を水平な床面に正立させたとき、前記表示板を傾斜させて支持する支持フレームと、
前記表示板の、前記一方の面の下方に配置され、前記表示板のスクリーンに画像を投影するプロジェクタと、
前記投影される画像の画像データを記憶し、前記プロジェクタに装着されて当該画像データを当該プロジェクタに読み出させる記憶装置と、
前記プロジェクタから発せられる投影用ビームを、前記表示板の下方で前記表示板のスクリーンに導いて結像させる光学機構とを備え、
前記支持フレームには前記表示板の支持高さ調整機構が設けられ、前記支持高さ調整機構は、前記支持フレームの前記表示板の支持高を変更すると同時に前記光学機構による投影用ビームが通過する経路を変更する連動機構を備えたことを特徴とする画像表示装置。
【請求項２】
独立設置型の画像表示装置であって、
一方の面で結像した画像を他方の面で視認できる透過型のスクリーンを備えた表示板と、
当該画像表示装置を水平な床面に正立させたとき、前記表示板を傾斜させて支持する支持フレームと、
前記表示板の、前記一方の面の下方に配置され、前記表示板のスクリーンに画像を投影するプロジェクタと、
前記投影される画像の画像データを記憶し、前記プロジェクタに装着されて当該画像データを当該プロジェクタに読み出させる記憶装置と、
前記プロジェクタから発せられる投影用ビームを、前記表示板の下方で前記表示板のスクリーンに導いて結像させる光学機構とを備え、
前記支持フレームには前記表示板の支持角度調整機構が設けられ、前記支持角度調整機構は、前記支持フレームの前記表示板の支持角度を変更すると同時に前記光学機構による投影用ビームが通過する経路を変更する連動機構を備えたことを特徴とする画像表示装置。
【請求項３】
独立設置型の画像表示装置であって、
一方の面で結像した画像を他方の面で視認できる透過型のスクリーンを備えた表示板と、
当該画像表示装置を水平な床面に正立させたとき、前記表示板を傾斜させて支持する支持フレームと、
前記表示板の、前記一方の面の下方に配置され、前記表示板のスクリーンに画像を投影するプロジェクタと、
前記投影される画像の画像データを記憶し、前記プロジェクタに装着されて当該画像データを当該プロジェクタに読み出させる記憶装置と、
前記プロジェクタから発せられる投影用ビームを、前記表示板の下方で前記表示板のスクリーンに導いて結像させる光学機構とを備え、
前記光学機構は前記投影用ビームの全体または一部を複数に分岐させる複数系統の反射鏡を備え、そのうちの一つの投影用ビームを前記表示板のスクリーンに結像させ、他の少なくとも一つの投影用ビームを、前記床面にほぼ垂直な透過型スクリーンを持つ補助表示板であって、前記支持フレームに固定されたものに結像させることを特徴とする画像表示装置。
【請求項４】
独立設置型の画像表示装置であって、
一方の面で結像した画像を他方の面で視認できる透過型のスクリーンを備えた表示板と、
当該画像表示装置を水平な床面に正立させたとき、前記表示板を傾斜させて支持する支持フレームと、
前記表示板の、前記一方の面の下方に配置され、前記表示板のスクリーンに画像を投影するプロジェクタと、
前記投影される画像の画像データを記憶し、前記プロジェクタに装着されて当該画像データを当該プロジェクタに読み出させる記憶装置と、
前記プロジェクタから発せられる投影用ビームを、前記表示板の下方で前記表示板のスクリーンに導いて結像させる光学機構とを備え、
前記支持フレームには、複数のプロジェクタと、複数の表示板とが固定されており、各プロジェクタから発せられる投影用ビームを、
それぞれ別々の表示板のスクリーンに導いて結像させる、複数の光学機構を備えたことを特徴とする画像表示装置。
【請求項５】
請求項１〜４いずれかに記載の画像表示装置において、
前記表示板は透過型スクリーンを貼り付けた透明板からなり、
前記支持フレームはこの透明板の透明な縁の部分を支持し、当該支持フレームの前記投影用ビームの通過する部分であって、少なくとも前記表示板の近傍の部分が、骨組み以外の部分をいずれの方向からも透視できる構造とされ、
前記プロジェクタと前記光学機構とを、前記透明板の下方の支持フレームに固定された、側周面が不透明な収納部に収納したことを特徴とする画像表示装置。
【請求項６】
請求項１〜４いずれかに記載の画像表示装置において、
前記支持フレームの前記投影用ビームが通過する部分が柱のみからなる構造のときに、当該柱の間にガード部材を設けたことを特徴とする画像表示装置。
【請求項７】
請求項１〜４いずれかに記載の画像表示装置において、前記プロジェクタは前記支持フレームの脚部に固定された収納部に収納され、前記表示板の、前記床面から見たときに最も低い位置から最も高い位置に向かう方向に、前記プロジェクタから前記投影用ビームが発射され、前記光学機構は、前記投影用ビームを、前記表示板に設けられたスクリーンに向かう方向に反射させることを特徴とする画像表示装置。
【請求項８】
請求項５に記載の画像表示装置において、前記光学機構は前記支持フレームの脚部に固定された収納部に収納されることを特徴とする画像表示装置。
【発明の詳細な説明】
【技術分野】
【０００１】
本発明は、店頭での広告案内表示などに適するプロジェクタを使用した画像表示装置に関する。
【背景技術】
【０００２】
百貨店やスーパーマーケット、あるいは量販店などにおいて、顧客に店内の案内をしたり、商品の案内をするために、ポスターに代わって、テレビジョン式の画像表示装置が広く利用されている。こうした装置は、ポスターよりも様々な画像を繰り返し表示し、動画などを交えた広告宣伝効果が高く、要所要所に採用する店舗が増加している。液晶プロジェクタを利用して、スクリーンに画像を表示する大型の表示装置も開発されている（特許文献１、特許文献２参照）。
【０００３】
【特許文献１】特開平９−１５４０８８号公報
【特許文献２】特開２００３−１３６８９２号公報
【発明の開示】
【発明が解決しようとする課題】
【０００４】
ところで、上記のような従来の技術には、次のような解決すべき課題があった。
【０００５】
プラズマディスプレイを用いた大型のスクリーンに様々な宣伝広告画面を表示すれば、顧客が遠くからその内容を知ることができ、多数の顧客に対する宣伝効果がある。一方、例えば、百貨店の一つのフロアに多数のテナントがそれぞれ個別に店を出しているような場合に、各テナントは、通路を通る顧客を自分の店に引きつける努力が必要になる。ディスプレイに表示された画面もさることながら、それぞれ自分の店に展示された商品を傍まで近づいて見てもらうような装置設計がなされることが望ましい。
【０００６】
本発明は、以上のような要求を満たすために開発されたもので、顧客が近づいて立った状態で見るような構造の画像表示装置を提供することを目的とする。また、本発明は、機能的なデザインによって高級感と高い訴求力によって顧客を引きつける画像表示装置を提供することを目的とする。
【課題を解決するための手段】
【０００７】
本発明は次の構成により上記の課題を解決する。
【０００８】
〈構成１〉独立設置型の画像表示装置であって、  一方の面で結像した画像を他方の面で視認できる透過型のスクリーンを備えた表示板と、当該画像表示装置を水平な床面に正立させたとき、前記表示板を傾斜させて支持する支持フレームと、前記表示板の、前記一方の面の下方に配置され、前記表示板のスクリーンに画像を投影するプロジェクタと、前記投影される画像の画像データを記憶し、前記プロジェクタに装着されて当該画像データを当該プロジェクタに読み出させる記憶装置と、前記プロジェクタから発せられる投影用ビームを、前記表示板の下方で前記表示板のスクリーンに導いて結像させる光学機構とを備え、前記支持フレームには前記表示板の支持高さ調整機構が設けられ、前記支持高さ調整機構は、前記支持フレームの前記表示板の支持高を変更すると同時に前記光学機構による投影用ビームが通過する経路を変更する連動機構を備えたことを特徴とする画像表示装置。
【０００９】
この画像表示装置は独立設置型であり、任意の場所に設置できる。外部からネットワーク等を介して画像データを決められたタイミングで送り込むような操作は不要である。画像データは、プロジェクタに装着された記憶装置から読み出されるから、内容の追加変更が容易である。透過型のスクリーンを備えた表示板の下方に、プロジェクタを配置して、投影用ビームを、表示板の下方で表示板のスクリーンに導いて結像させるので、スペースをとらず、投影用ビームが不測の侵入物により遮られるおそれがない。表示板を傾斜させて支持し、立った状態で見る構造とされる。従って、見る者を近くに引き寄せる効果があり、広告宣伝用に適する。
【００１０】
しかも、支持フレームの構造が簡素化されているので、容易に高さ調整ができる。この支持高さの変更と同時に投影用ビームの投影角度等を変更できるようにしたので、スクリーンに投影される画像の位置ずれを防ぐことができる。
【００１１】
＜構成２＞独立設置型の画像表示装置であって、一方の面で結像した画像を他方の面で視認できる透過型のスクリーンを備えた表示板と、当該画像表示装置を水平な床面に正立させたとき、前記表示板を傾斜させて支持する支持フレームと、前記表示板の、前記一方の面の下方に配置され、前記表示板のスクリーンに画像を投影するプロジェクタと、前記投影される画像の画像データを記憶し、前記プロジェクタに装着されて当該画像データを当該プロジェクタに読み出させる記憶装置と、前記プロジェクタから発せられる投影用ビームを、前記表示板の下方で前記表示板のスクリーンに導いて結像させる光学機構とを備え、前記支持フレームには前記表示板の支持角度調整機構が設けられ、前記支持角度調整機構は、前記支持フレームの前記表示板の支持角度を変更すると同時に前記光学機構による投影用ビームが通過する経路を変更する連動機構を備えたことを特徴とする画像表示装置。
【００１２】
支持フレームの構造が簡素化されているので、容易に支持角度の調整ができる。この支持角度の変更と同時に投影用ビームの投影角度等を変更できるようにしたので、スクリーンに投影される画像の位置ずれを防ぐことができる。
【００１３】
＜構成３＞独立設置型の画像表示装置であって、一方の面で結像した画像を他方の面で視認できる透過型のスクリーンを備えた表示板と、当該画像表示装置を水平な床面に正立させたとき、前記表示板を傾斜させて支持する支持フレームと、前記表示板の、前記一方の面の下方に配置され、前記表示板のスクリーンに画像を投影するプロジェクタと、前記投影される画像の画像データを記憶し、前記プロジェクタに装着されて当該画像データを当該プロジェクタに読み出させる記憶装置と、前記プロジェクタから発せられる投影用ビームを、前記表示板の下方で前記表示板のスクリーンに導いて結像させる光学機構とを備え、前記光学機構は前記投影用ビームの全体または一部を複数に分岐させる複数系統の反射鏡を備え、そのうちの一つの投影用ビームを前記表示板のスクリーンに結像させ、他の少なくとも一つの投影用ビームを、前記床面にほぼ垂直な透過型スクリーンを持つ補助表示板であって、前記支持フレームに固定されたものに結像させることを特徴とする画像表示装置。
【００１４】
床面に対して傾斜した表示板には、立った状態で見てもらうコンテンツを表示する。一方、一部の画像を床面にほぼ垂直な補助表示板に表示することにより、遠くを通行する者の注意を引く。遠くからは、垂直な補助表示板の画像しか見えない。注意を引くだけでよいから、補助表示板には投影用ビームの一部だけを結像させてもよい。
【００１５】
＜構成４＞独立設置型の画像表示装置であって、一方の面で結像した画像を他方の面で視認できる透過型のスクリーンを備えた表示板と、当該画像表示装置を水平な床面に正立させたとき、前記表示板を傾斜させて支持する支持フレームと、前記表示板の、前記一方の面の下方に配置され、前記表示板のスクリーンに画像を投影するプロジェクタと、前記投影される画像の画像データを記憶し、前記プロジェクタに装着されて当該画像データを当該プロジェクタに読み出させる記憶装置と、前記プロジェクタから発せられる投影用ビームを、前記表示板の下方で前記表示板のスクリーンに導いて結像させる光学機構とを備え、前記支持フレームには、複数のプロジェクタと、複数の表示板とが固定されており、各プロジェクタから発せられる投影用ビームを、それぞれ別々の表示板のスクリーンに導いて結像させる、複数の光学機構を備えたことを特徴とする画像表示装置。
【００１６】
支持フレームに、補助表示板等を含む複数の表示板を固定したとき、それぞれの表示板のスクリーンには、別々のプロジェクタによる画像を投影することもできる。プロジェクタは必要な台数だけ、支持フレーム上に取り付ければよい。全てのプロジェクタを支持フレームの下部に集中させて固定すれば、他の例と同様にして、装置の相当部分を透視できる構成にすることができる。
【００１７】
＜構成５＞構成１〜４いずれかに記載の画像表示装置において、前記表示板は透過型スクリーンを貼り付けた透明板からなり、前記支持フレームはこの透明板の透明な縁の部分を支持し、当該支持フレームの前記投影用ビームの通過する部分であって、少なくとも前記表示板の近傍の部分が、骨組み以外の部分をいずれの方向からも透視できる構造とされ、前記プロジェクタと前記光学機構とを、前記透明板の下方の支持フレームに固定された、側周面が不透明な収納部に収納したことを特徴とする画像表示装置。
【００１８】
側周面が不透明な収納部に収納したプロジェクタは、外部から容易に認識できない。支持フレームを、いわゆるスケルトン構造にすると、透明板上の透過型スクリーンは、電線も何も接続されていないので宙に浮いて見える。投影用ビームは側面からはほとんど見えないから、画像を表示されたスクリーンとそれを支持する透明板は、高い装飾的効果を示す。また、プロジェクタを収納した収納部以外の部分の構造をきわめて簡素化でき、軽量化とコスト削減に寄与する。
【００１９】
＜構成６＞構成１〜４いずれかに記載の画像表示装置において、前記支持フレームの前記投影用ビームが通過する部分が柱のみからなる構造のときに、当該柱の間にガード部材を設けたことを特徴とする画像表示装置。
【００２０】
支持フレームの上記投影用ビームが通過する部分が柱のみからなる構造にすれば、全体として非常に構造が簡素化されて機能的になる。反面、投影用ビームの通過を妨げる異物等が飛び込みやすい。そこで、支持フレームの柱部分にガード部材を設けた。ガード部材が柱の側周面の一部または全部を、縦または横方向に横切るように固定されていれば、異物の侵入を防ぐことができる。例えば、子供が直接投影ビームを目に入れて目を痛めるのも防止できる。
【００２１】
＜構成７＞構成１〜４いずれかに記載の画像表示装置において、前記プロジェクタは前記支持フレームの脚部に固定された収納部に収納され、前記表示板の、前記床面から見たときに最も低い位置から最も高い位置に向かう方向に、前記プロジェクタから前記投影用ビームが発射され、前記光学機構は、前記投影用ビームを、前記表示板に設けられたスクリーンに向かう方向に反射させることを特徴とする画像表示装置。
【００２２】
この構成によれば、投影用ビームは表示板の下方の空間を、略Ｌ字状の経路を経て、プロジェクタから表示板に達する。表示板の下方の空間は十分に広くとることができない。
しかし、プロジェクタを用いてスクリーンに画像を投影する場合に、投影用ビームが長いほど、スクリーンに大サイズの画像を投影できる。略Ｌ字状の経路により、この要求が満たされる。
＜構成８＞構成５に記載の画像表示装置において、前記光学機構は前記支持フレームの脚部に固定された収納部に収納されることを特徴とする画像表示装置。
【発明を実施するための最良の形態】
【００２３】
本発明の画像表示装置は、ショッピングセンター、百貨店、飲食店、ホテル、テナントが多数入居する商業施設等において、各テナントの店頭に配置して使用をするのに適する。表示される画像は、テナントの店の紹介や商品の紹介、その他テナントが要求する任意のコンテンツ画像を編集したものとなる。本発明の画像表示装置は、独立設置型のもので、液晶プロジェクタ等を用いて画像を表示する。画像を結像させるスクリーンは、表示板と一体になっている。表示板は、ちょうど床面に対し、一定の傾きを持つように支持フレーム上に支持される。顧客が遠くからディスプレイを眺めてそのまま通り過ぎていくことのないように、近づいてみなければよく見えない設計がされている。全体として、スタンドのように利用され、自由な場所に移動して利用できる。
【実施例１】
【００２４】
図１は本発明の液晶表示装置の具体例を示す斜視図である。
【００２５】
図１に示す装置は、画像を表示する表示板１を支持フレーム３で支持した構成のものである。表示板１は、例えば、アクリル樹脂のような透明な材料からなる。この下側の面には、スクリーン５が設けられている。このスクリーン５は、半透明のフィルムでもよいし、表示板１の裏面をすりガラス状に加工した部分でも構わない。ここに、後述するプロジェクタから投影された画像が結像する。表示板１が透明体からなるので、スクリーン５に結  収納部１０に、投影用ビームを発射するプロジェクタ１１（図２）が収納されている。投影用ビームは、収納部１０に設けられた窓１５を通過してスクリーン５に投影される。支持フレーム３は、アルミニウムパイプ等から構成される。支持フレーム３は傾斜部３Ａと垂直部３Ｂと水平部３Ｃとアーム３Ｄと架台３Ｆとを備える。水平部３Ｃと架台３Ｆは支持フレーム３の脚部を構成している。アーム３Ｄは、傾斜部３Ａの側面から４本突き出しており、これらが表示板１をねじ止め支持する。アーム３Ｄは、表示板１の透明な縁の部分を支持している。投影用のビーム自体は横から見えにくいため、スクリーン５が宙に浮き上がって見え、非常に人目を引くという効果がある。横棒３Ｅは、支持フレーム３の補強のために設けられている。架台３Ｆは、収納部１０を支持フレーム３に固定して支持するためのものである。
【００２６】
図２は、上記の画像表示装置の側面図である。
【００２７】
図２に示すように、支持フレーム３は、脚４を介して床面８の上に正立させられている。脚４は、よく知られた高さ調整用のねじ部を有している。支持フレーム３の傾斜部３Ａは、水平床面８に対して適度な角度αの傾きを持つように設定されている。収納部１０の中には、液晶などを使用した既知のプロジェクタ１１が収納されている。収納部１０の中には、この他に、プロジェクタ１１の発射する投影用ビーム７を反射して、表示板１のスクリーン５に向けて投影する光学機構２０が設けられている。
【００２８】
光学機構２０は、反射鏡２１と軸受け２２と台２３とからなる。反射鏡２１は、軸受け２２によって角度調整できるように、台２３上に固定されている。すなわち、軸受け２２は自在継ぎ手のような構造を有しており、台２３に固持された一方端に対して遊動可能に接合された他方端により反射鏡２１を把持している。反射鏡２１で反射された投影用ビーム７は、表示板１の下側の面１Ｂ上に設けられたスクリーン５に像を結像させる。この画像を表示板１の表面１Ａ側から見ることになる。なお、スクリーン５の各部と反射鏡２１との間の距離にはばらつきがあり、何も手当をしないとスクリーン５に結像された画像が歪む。これは、既知のプロジェクタ１１に設けられた台形補正技術により解決できる。
【００２９】
この側面図から見てわかるように、プロジェクタ１１から発射される投影用ビーム７は、図の左から右に向かうように方向付けられる。即ち、表示板１の、床面から見たときに最も低い位置から最も高い位置に向かう方向、換言すれば、装置の後方に向けてビームが発射される。そして、光学機構２０により、その投影用ビーム７が、表示板１に設けられたスクリーン５に向かう方向に反射される。このような経路を採用することで、投影用ビームの投影距離を十分に長く選定することができる。
【００３０】
図３は、上記の画像表示装置の正面図である。
【００３１】
顧客は、図３に示した正面方向から表示板１のスクリーン５に結像した画像を立った状態で見ることになる。この表示板１から少し離れると、外光が表示板１の面で反射するため、画像は見にくくなる。従って、この画面を見るために通行人を引き寄せる効果がある。図のように、表示板１が透過型スクリーン５を貼り付けた透明板からなり、支持フレーム３がこの透明板の透明な縁の部分を支持するようにしたときは、スクリーン５が宙に浮いて見える。この実施例では、表示板１を支持する部分全体が、骨組み以外の部分をいずれの方向からも透視できる構造とされている。支持フレーム３は、例えば、箱状の構造でもよいが、美観上、全体をいわゆるスケルトン構造にすることが好ましい。プロジェクタと前記光学機構とを収納する収納部１０は、美観上、例えば、側周面が不透明な筐体であることが好ましい。一方、支持フレーム３の投影用ビーム７の通過する部分であって、少なくとも表示板１の近傍の部分は、骨組み以外の部分をいずれの方向からも透視できる構造がよい。
なお、上記支持フレーム３の、投影用ビーム７が通過する部分が柱のみからなる構造のときには、非常にシンプルな構造のため、例えば、正面から手を差し入れて、投影用ビームを遮ることもできる。また、子供が頭を入れて投影用ビームを直視することも考えられる。これを防ぐために、例えば、図３に破線で示すように、防護板１６をチェン１７等で吊り下げるようなガード部材を設けるとよい。ガード部材としては支持フレームの柱の間の空間を横切るものでよく、柱の側周面の一部または全部を、縦または横方向に横切るように固定されていれば、異物の侵入を防ぐことができる。
【００３２】
図４は、上記の画像表示装置のプロジェクタ内部回路のブロック図である。
【００３３】
図４に示すプロジェクタ１１の内部には、一点鎖線で示したような回路３０が組み込まれている。ここには、コネクタ３２、データ読み出し手段３３、ハードディスク３４、画像表示制御手段３５、電源回路３７及び表示画像データ指定手段３８が設けられている。コネクタ３２には、例えば、半導体メモリを組み込んだメモリカード３１を装着する。このメモリカード３１には、プロジェクタ１１によって表示される画像データ１８が記録されている。
メモリカード３１をコネクタ３２に装着すると、データ読み出し手段３３によって、画像データ１８の読み出しが可能になる。この画像データ１８は、画像表示制御手段３５によって、プロジェクタ１１で表示可能な画像イメージに変換される。データ読み出し手段３３は、画像データ１８を画像表示制御手段３５に渡すデータ読み出し制御をする。画像表示制御手段３５は、画像データ１８を、例えば、よく知られたスライドショーの動作を利用して、プロジェクタ１１を制御するアプリケーションプログラムからなる。
【００３４】
表示画像データ指定手段３８は、メモリカード３１に複数の画像データ１８が記憶されている場合に、どの画像データをプロジェクタ１１で表示するか、選択指定するための手段である。これは、プロジェクタ１１の図示しない外ケースに設けられている。電源回路３７は、液晶のプロジェクタ１１全体に駆動電力を供給するための回路である。商用電源に接続されるものでもよいし、バッテリであっても構わない。ハードディスク３４は、例えば、メモリカード３１に記憶された全ての画像データを読み出して記憶して、その後、プロジェクタ１１にその画像データを表示させるために利用される。本発明の装置は、独立設置型であって、必要な画像データはメモリカード３１、あるいはハードディスク３４に記憶しておく。ハードディスク３４に例えば、大量の画像データが記憶できれば、１週間分の画像データを記憶させておき、表示画像データ指定手段３８によって、日替わりで任意の画像データをプロジェクタに表示させることができる。
【００３５】
ネットワークに接続されて表示画像を制御される端末装置は広く多用されている。しかし、システムが大規模になり、装置の設置場所が制限されて、自由に移動することもできないという問題がある。本発明の装置はプロジェクタ１１に装着されたメモリカード３１やハードディスク３４等の記憶装置に画像データを記憶させておいて、その画像を投影して表示するので、電源さえあれば、どこにでも設置できどこへでも移動できる。記憶装置が、プロジェクタ１１に対して差し替え可能な記憶媒体であれば、画像データの入れ替えが容易である。電源の接続は必要であるが、例えば、長時間電力を供給できる電池が収容できれば外部電源の接続も不要である。この画像表示装置は水平な床面に正立させて使用してもよいし、例えば、上下を反転させて逆さまに吊り下げて使用してもよい。
【００３６】
図２に示すように、上記の画像表示装置を水平な床面に正立させたとき、表示板１の下側にプロジェクタ１１を配置している。反射鏡等からなる光学機構２０は、プロジェクタ１１から発せられる投影用ビーム７を、表示板１の下方で表示板１のスクリーン５に導いて結像させる。すなわち、投影用ビーム７の通路も表示板１の下側に設けている。表示板１には透過型のスクリーン５が設けられ、下側の面に投影画像が結像する。従って、表示板１の下側部分を支持フレーム３やその他の部材１６でガードすれば、通行人等が投影用ビームを遮るおそれがない。
【００３７】
録画された広告用画像をテレビジョンディスプレイに表示する独立設置型の表示装置は多用されている。しかし、これらは画面が垂直に正立している。一方、本発明の装置は、水平な床面に正立させたとき、表示板１を、図２のスクリーン５を貼り付けた面を下方に向けて、傾斜させて支持する。スクリーン５を貼り付けた面と床面との挟む角αが鋭角になっており、さらに、支持フレーム３は、表示板１を一般歩行者の目線より低い位置に支持する。従って、通行人は表示板１に表示された画像を見るために、表示板1に近づいてこれを見なければならない。これにより、この表示装置は通行人を近くに引きつける効果を発揮する。
【００３８】
表示板１の傾斜角αは、立った状態での見易さと、投影用ビーム７をスクリーン５に結像させるときに行う台形補正の結像条件から最適値が導かれる。表示板１の傾斜角αは、無理な姿勢をせずに立った状態で見るのに最も適する１５度〜７５度の範囲がよい。この傾斜は店舗案内や商品の広告等の表示に最も適する。また、表示板１の前に立って見るのには、表示板１の高さが一般歩行者の目線より低いことが好ましい。成人を対象にするとしても、男性より背の低い女性の身長を考慮することが好ましい。文部科学省の保健統計調査によれば、日本女性の１７才の平均身長は、ここ１０年間では、ほぼ約１５７センチメートルとなっている。即ち、表示板の上縁が１６０センチメートルを越えると、平均的な成人女性は普通の姿勢でも見づらい。従って、これ以下の高さが実用の範囲である。また、目線より低い位置で楽に見ることができるという点を考慮すると、１４０センチメートル以下の高さが好ましい。一方、成人女性の歩行者が無理に背をかがめて見なくても良い高さは、目の高さから３０センチメートルほど下だから、１２０センチメートル以上と考えられる。
【００３９】
ところで、上記のように平均的な成人女性の身長に合わせて表示板の高さを選定したとき、表示板の傾斜が問題となる。特に、表示板の前に立って見た時に、表示板が目線より低い位置であり、床面との角度が垂直である場合、その近くに立って表示板を見ると、投影された画像は見にくいが、表示板の角度を75度に傾けた場合、通常は普通に立った状態でも画像は見やすくなるため、角度αは75度以下が好ましい。また、表示板が床面に対して水平である場合、表示板の前に立った人は、体を乗り出すように前かがみになり、無理な姿勢で見なければならなくなってしまうが、表示板の角度を床面に対して15度に傾ければ、通常の場合、表示板の前に立った状態で目線を落とし首を傾けただけの無理の無い姿勢で投影された画像を見ることが出来る。
【００４０】
従って、表示板の傾斜は実用上、１５度以上７５度の範囲が適すると考えられる。なお、例えば、紳士服店、婦人服店、子供服店、ファミリーレストランというように、顧客層がそれぞれ異なる場合には、顧客層の平均的目線の高さを基準に、表示板の高さや傾斜を選定するとよい。また、ショーウインドウ等に収納するような装置サイズの場合はもっと十分に低い構造であってよい。
【００４１】
以上の画像表示装置は、例えば、百貨店のテナントや商店街の角店舗の店先で、例えば、レストランのメニューを表示したり、特売の商品リストを表示したりする用途に適する。また、例えば、十分に小型化して、商品棚にディスプレイされた商品と共に並べて、様々な商品情報を表示する用途に適する。多くの通行人に広く伝えるニュースや広告を表示するよりも、斬新なデザインで顧客を引きつけて、商品に関する情報を顧客に個別に伝えるような目的に適する。
【実施例２】
【００４２】
図５は、実施例２の支持角度調整機構と高さ調整機構を示す説明図である。
【００４３】
画像表示装置の用途によっては、表示板１の支持角度を微調整したいことがある。また、支持フレーム３の高さを微調整したいことがある。これには、図５（ａ）に示すように、支持フレーム３の垂直部３Ｂに、蝶番状の支持角度調整機構５０と、カメラの三脚等で多用されている高さ調整機構５１を設けるとよい。また、表示板１の支持角度や支持フレームの高さを調整すると、スクリーン５上で、投影用ビーム７の位置ずれが生じる。そこで、支持角度調整機構５０と高さ調整機構５１を、任意のメカニズムで、反射鏡２１の角度と連動させる。従って、支持角度を調整したり、高さ調整をしたりしたとき、表示板１に表示される画像の位置ずれは自動調整できる。もちろん結像状態の最適化のために、最後に微調整を必要とすることもある。支持角度調整機構と高さ調整機構の一例を図５を用いて説明する。
【００４４】
図５（ｂ）は支持角度調整機構と高さ調整機構の連動機構を側面から見た概略図、（ｃ）は支持角度調整機構の主要部正面図、（ｄ）は反射鏡の反射角度調整機構の主要部正面図である。これらの図に示すように、支持フレーム３の傾斜部３Ａと垂直部３Ｂの境界部分には、支持角度調整機構５０が設けられている。また、垂直部３Ｂの途中には、高さ調整機構５１が設けられている。支持角度調整機構５０は角度検出ドラム６１を備える。角度検出ドラム６１は、傾斜部３Ａの一端に固定されている。角度検出ドラム６１の中心を通る回転軸５２は、垂直部３Ｂの上端の軸受けに支持されている。この支持角度調整機構５０は、ゴム等からなるブーツ５４でカバーされている。図５（ｃ）に示すように、回転軸５２を軸として傾斜部３Ａの支持角度を変えると、角度検出ドラム６１が回転する。角度検出ドラム６１と伝達ワイヤ６２とガイドロール６３と角度設定ドラム６４とアーム６５とは、連動機構を構成する。
【００４５】
伝達ワイヤ６２はその一端が角度検出ドラム６１に巻き付けられている。伝達ワイヤ６２はガイドロール６３を経由して角度設定ドラム６４に達する。図の（ｄ）に示すように、伝達ワイヤ６２の端は、角度設定ドラム６４に巻き付けられている。角度設定ドラム６４は、光学機構の台２３に支持された回転軸６６を中心に回転する。角度設定ドラム６４とアーム６５と反射鏡２１は一体化されていて、回転軸６６を中心に一緒に回転する。
【００４６】
図５（ｂ）に示すように、支持フレーム３の傾斜部３Ａの傾きを矢印ａの方向に変えると、角度検出ドラム６１が矢印ｂの方向に回転して伝達ワイヤ６２を矢印ｃの方向に引っ張る。これにより角度設定ドラム６４が矢印ｄの方向に回転し、アーム６５が反射鏡２１の角度を変更し、投影用ビームの方向を矢印ｅの方向に変更する。こうして、支持フレーム３の傾斜部の傾きを変更するとこれに連動して反射鏡２１の傾きが自動的に変更され、投影用ビーム７が表示板１の正常な位置に投影される。
【００４７】
高さ調整機構５１は、例えばカメラ用のナット式三脚の継ぎ目のように、支持フレーム３の垂直部３Ｂを分断して伸縮自在に嵌合し、この部分に、よく知られたチャックパイプ４１とロックナット４２を配設することにより継ぎ合わせた構成にされている。これによって、一定の範囲で自由に支持フレーム３の高さ調整ができる。支持フレーム３の高さを引き上げるように変更すると、伝達ワイヤ６２が矢印ｃの方向に引っ張られる。
【００４８】
これにより、傾斜部３Ａの傾きの変更と同様にして、角度設定ドラム６４が回転し反射鏡２１の傾きを変更する。従って、支持フレーム３の高さを変更しても、投影用ビーム７が表示板１の正常な位置に投影されるように調整される。なお、上記の構成は一例であって、機械的な連動機構により反射鏡２１の角度を変更する以外の構成もある。例えば、傾斜部３Ａの角度と垂直部３Ｂの高さを電気的なセンサにより検出して、反射鏡の角度をサーボモータやステッピングモータにより自動的に変更するようにしてもよい。
【実施例３】
【００４９】
図６は、実施例３の画像表示装置の構成を示す側面図である。
【００５０】
すでに説明したとおり、図６に示した投影用ビーム７５は、主反射鏡７３により反射されて表示板１のスクリーン５に投影されて結像する。この実施例では、主反射鏡７３の隣に補助反射鏡７４を設け、さらに、支持フレーム３の垂直部３Ｂ側にも画像を表示する補助表示板７７と補助スクリーン７８とを設けたものである。主反射鏡７３と補助反射鏡７４とは、プロジェクタ１１から出力された投影用ビーム７を、２つの投影用ビーム７５と７６に分岐する。主投影用ビーム７５は、表示板１のスクリーン５に投影されて結像する。一方、補助投影用ビーム７６は、補助表示板７７の補助スクリーン７８に投影されて結像する。
【００５１】
図６（ｂ）に、表示板１に表示された画像８１の一例を示す。図６（ｃ）に、補助表示板７７に表示された画像８２の一例を示す。これらの図に示すように、表示板１に表示される画像８１の一部を補助表示板７７に表示することによって、この画像表示装置から離れたところを通過する者にも、この画像表示装置に何かが表示されているということがわかる。表示板１に何が表示されているかは、実際に装置に近寄ってみなければわからない。その結果、補助表示板７７は、遠くにいるものを近くまで引きつける効果がある。他の実施例についても、同様であるが、表示板１には、文字、図形、静止画、動画、その他、任意の画像データを表示することができる。また、プロジェクタと共に、あるいはプロジェクタに内蔵させて、音響装置を取りつけることもできる。これにより、画像と音で顧客を引きつける画像表示装置とすることができる。
【実施例４】
【００５２】
図７は、実施例４の画像表示装置の構成を示す側面図である。
【００５３】
この実施例では、図の（ａ）に示すように、主反射鏡８４と補助反射鏡８３の位置を、図６の実施例と逆にした。補助表示板７７の位置は図６の例と変わらない。主反射鏡８４と補助反射鏡８３とは、プロジェクタ１１から出力された投影用ビーム７を、２つの投影用ビーム８８と８７に分岐する。主投影用ビーム８８は、表示板１のスクリーン５に投射されて結像する。一方、補助投影用ビーム８７は、補助表示板７７の補助スクリーン７８に投射されて結像する。なお、図の（ｂ）に示すように、補助反射鏡８３の下端は支持フレーム３に蝶番８５を介して支持されている。主反射鏡８４は補助反射鏡８３の上端に蝶番８６を介して支持されている。これらの蝶番８５や蝶番８６を使用して、主反射鏡８４と補助反射鏡８３の傾斜を最適化するとよい。
【実施例５】
【００５４】
図８（ａ）は実施例５の装置の側面図、（ｂ）は実施例６の装置の側面図である。図８（ａ）において、支持フレーム３には複数（この例では２台）のプロジェクタ９１、９２が支持固定されている。また、同時に、支持フレーム３には複数の表示板１、７７が固定されている。プロジェクタ９１、９２の内部には、それぞれ光学機構９３、９４が組み込まれている。これら各部の機能は既に説明したものと同様である。プロジェクタ９１の出力する投影用ビーム９６は、光学機構９３に導かれて表示板１のスクリーン５に投射されて結像する。一方、プロジェクタ９２の出力する投影用ビーム９５は、光学機構９４に導かれて補助表示板７７の補助スクリーン７８に投射されて結像する。このように、各プロジェクタから発せられる投影用ビームを、それぞれ別々の表示板のスクリーンに導いて結像させるようにすれば、各表示板に自由に各種の画像を表示できる。支持フレーム３に固定するプロジェクタの数は任意である。固定場所も任意である。しかし、全てのプロジェクタを支持フレームの下部に集中させて固定すれば、美感と、記憶装置交換操作の点で、有利である。
【実施例６】
【００５５】
図８（ｂ）において、この図の例では、支持フレーム３はプロジェクタを搭載していない。図の支持フレーム３の上部は図示を省略したが、実施例１と同一の構造である。脚４も実施例１と同一に図示してあるが、これをキャスタにすれば、床面８上で支持フレーム３を楽に移動できる。軽量であるし、プロジェクタや光学機構を搭載していないので、振動を心配せずに移動できる。図の床面８には、ピット９７が形成されており、プロジェクタ１１と光学機構９８が収納されている。このように、床面直下に埋め込まれたプロジェクタ１１は、上記表示板の下方から、投影ビーム７を発して、表示板のスクリーンに画像を投影することができる。支持フレーム３を他の場所に移動してしまった後は、ピット９７の上面を図示しない蓋等で覆い、プロジェクタを保護することが好ましい。なお、この実施例で、複数のプロジェクタを使用したり、複数の光学機構で複数の表示板に画像を投影するようにしても構わない。また、ピット９７に収納したプロジェクタ１１等は、ピット９７から取り出して、支持フレームに着脱式の機構を用いて固定できるようにするとよい。
【図面の簡単な説明】
【００５６】
【図１】実施例１の画像表示装置の構成を示す斜視図。
【図２】実施例１の画像表示装置の構成を示す側面図。
【図３】実施例１の画像表示装置の構成を示す正面図。
【図４】実施例１のプロジェクタの内部回路を示すブロック図。
【図５】実施例２の支持角度調整機構と高さ調整機構の説明図。
【図６】実施例３の画像表示装置の構成を示す側面図。
【図７】実施例４の画像表示装置の構成を示す側面図。
【図８】ａ）は実施例５、（ｂ）は実施例６の装置の側面図。
【符号の説明】
【００５７】
１  表示板、３  支持フレーム、３Ａ  傾斜部、３Ｂ  垂直部、３Ｃ  水平部、３Ｄアーム、３Ｆ  架台、 ５  スクリーン、１０  収納部、１１  プロジェクタ、１５窓。
【図１】
2006276876.tif 000003
【図２】
2006276876.tif 000004
【図３】
2006276876.tif 000005
【図４】
2006276876.tif 000006
【図５】
2006276876.tif 000007
【図６】
2006276876.tif 000008
【図７】
2006276876.tif 000009
【図８】
2006276876.tif 000010